(57)【要約】【課題】段差部において配線の幅が狭くなることや断線をより確実に抑制した電気光学装置及びこれを備える電子機器を提供すること。【解決手段】斜面部２５ｄ、２５ｅと上段部２５ａとの境界部２６ｂ、２６ｄのうちデータ線１３と平面視で重なる部分と、斜面部２５ｄ、２５ｅと下段部２５ｂ、２５ｃとの境界部２６ａ、２６ｃのうちデータ線１３と平面視で重なる部分とが、それぞれ直線状であり、データ線１３の幅方向の縁部が、段差部２５において直線状であると共に、段差部２５の境界部２６ａ〜２６ｄと非垂直で交差する。【選択図】図３
2008130967.tif 000002
【特許請求の範囲】
【請求項１】
上段部、斜面部及び下段部を有する段差部の上面に形成されて前記上段部の上面と前記下段部の上面との間に引廻された配線を有する電気光学装置であって、
前記斜面部と前記上段部との境界部のうち前記配線と平面視で重なる部分と、前記斜面部と前記下段部との境界部のうち前記配線と平面視で重なる部分とが、それぞれ直線状であり、
該配線の幅方向の縁部が、前記段差部において直線状であると共に、前記段差部の前記境界部と非垂直で交差することを特徴とする電気光学装置。
【請求項２】
前記配線の幅方向の中心が、前記段差部において前記境界部と非垂直で交差することを特徴とする請求項１に記載の電気光学装置。
【請求項３】
前記配線の幅方向の縁部と前記境界部との交差角度が、８０°以下であることを特徴とする請求項１または２に記載の電気光学装置。
【請求項４】
前記段差部が、下地層と、該下地層上に形成された下層配線と、該下層配線を被覆する被覆層によって構成され、
前記配線が、平面視で前記被覆層を介して前記下層配線と交差していることを特徴とする請求項１から３のいずれか１項に記載の電気光学装置。
【請求項５】
平面状に配置された複数の画素領域のそれぞれに設けられた電極をスイッチング制御するスイッチング素子を有し、
前記配線及び前記下層配線が、それぞれ前記スイッチング素子に接続されていることを特徴とする請求項４に記載の電気光学装置。
【請求項６】
前記段差部が、下段層と、該下段層上に形成されて端部を有する上段層とによって構成され、
前記下段層上に、平面状に配置された複数の画素領域のそれぞれに信号電圧を供給する信号線に接続される接続配線が形成され、
前記配線が、前記接続配線を被覆することを特徴とする請求項１から３のいずれか１項に記載の電気光学装置。
【請求項７】
請求項１から６のいずれか１項に記載の電気光学装置を備えることを特徴とする電子機器。
【発明の詳細な説明】
【技術分野】
【０００１】
本発明は、例えば液晶表示装置などの電気光学装置及びこれを備える電子機器に関する。
【背景技術】
【０００２】
例えば液晶表示装置などの電気光学装置では、平面状に配置された複数の画素領域を有しており、各画素領域に液晶層などの電気光学層に電界を発生させるための画素電極が設けられている。そして、画素電極をスイッチング制御するためのスイッチング素子が画素電極に接続されており、スイッチング素子に電圧を供給するためのデータ線や走査線などの配線が格子状に設けられている。ここで、各配線は、立体的に交差させているため、絶縁膜を介して上層側と下層側とに分けて形成されている。したがって、絶縁膜のうち下層側に配線が形成されている領域では、配線の厚さに応じた段差が形成されることとなる。
【０００３】
絶縁膜の上層側に平面視で下層側の配線と絶縁膜を介して交差するように形成された配線は、下層側の配線の厚さに応じて形成された段差部を乗り越えることとなる。そのため、上層側の配線の形成時に、段差部における配線の幅が狭くなって断線が発生することがある。そこで、このような段差部における断線を防止することを目的とした配線構造が提案されている（例えば、特許文献１〜３参照）。
【特許文献１】特開平５−３６８４９号公報
【特許文献２】特開２００４−３０４０８４号公報
【特許文献３】特開平７−２７３３１５号公報
【発明の開示】
【発明が解決しようとする課題】
【０００４】
しかしながら、上記従来の配線構造においても、配線の幅が狭くなることや断線をより確実に防止することが望まれている。
【０００５】
本発明は、上記従来の問題に鑑みてなされたもので、段差部において配線の幅が狭くなることや断線をより確実に抑制した電気光学装置及びこれを備える電子機器を提供することを目的とする。
【課題を解決するための手段】
【０００６】
本発明は、前記課題を解決するために以下の構成を採用した。すなわち、本発明にかかる電気光学装置は、上段部、斜面部及び下段部を有する段差部の上面に形成されて前記上段部の上面と前記下段部の上面との間に引廻された配線を有する電気光学装置であって、前記斜面部と前記上段部との境界部のうち前記配線と平面視で重なる部分と、前記斜面部と前記下段部との境界部のうち前記配線と平面視で重なる部分とが、それぞれ直線状であり、該配線の幅方向の縁部が、前記段差部において直線状であると共に、前記段差部の前記境界部と非垂直で交差することを特徴とする。
【０００７】
この発明では、段差部の実効的な段差が低減されることで、実効的にはより平坦な状態で配線を形成できるので、配線の断線の発生をさらに低減できる。
すなわち、配線の幅方向の縁部を斜面部の境界部と非垂直に交差させることで、配線の幅方向の縁部のうち斜面部を横断する領域の長さが、境界部と垂直に交差させることと比較して長くなる。このため、実効的には、配線が本来の斜面部よりも平坦な斜面に形成されることになる。このように配線を実際より平坦な面に形成できるため、境界部において配線の幅が狭くなるなどの線幅異常の発生を抑制して段差部における配線の抵抗上昇を防止できると共に、断線の発生を抑制できる。
また、配線をフォトリソグラフィ技術やウェットエッチング処理によって形成する場合において、配線に断線が発生することを効果的に抑制できる。すなわち、ウェットエッチング処理を用いて配線を形成する場合には、段差部上にパターニングすることによって配線を構成する配線材料層を形成し、この上面に形成される配線と同様の開口形状を有するレジスト層を形成する。このとき、レジスト層の幅方向の縁部が境界部と非垂直に交差することとなる。このため、段差部の下段部と斜面部との間の境界部や段差部の上段部と斜面部との間の境界部において、レジスト層が実際の段差部よりも平坦な面に形成されることとなる。そして、レジスト層と配線材料層との接触強度が増大し、レジスト層と配線材料層との間に空隙が発生することが抑制される。これにより、ウェットエッチング処理において、レジスト層と配線材料層との間にエッチャントが染み込むことを抑制し、レジスト層下の配線材料層がエッチングされることを防止できる。したがって、配線の断線が発生しにくくなる。
【０００８】
また、本発明にかかる電気光学装置は、前記配線の幅方向の中心が、前記段差部において前記境界部と非垂直で交差することが好ましい。
この発明では、配線の幅方向の中心線を境界部と非垂直で交差させることで、配線の断線をより確実に発生しにくくすることができる。
【０００９】
また、本発明にかかる電気光学装置は、前記配線の幅方向の縁部と前記境界部との交差角度が、８０°以下であることが好ましい。
この発明では、交差角度を８０°以下とすることで、段差部における実効的な段差を本来の段差よりも十分に小さくすることができ、配線に断線が発生することをより確実に抑制できる。
【００１０】
また、本発明にかかる電気光学装置は、前記段差部が、下地層と、該下地層上に形成された下層配線と、該下層配線を被覆する被覆層によって構成され、前記配線が、平面視で前記被覆層を介して前記下層配線と交差していることとしてもよい。
この発明では、下層配線を被覆層で被覆することにより、被覆層には下層配線の厚さに応じた段差部が形成される。そして、被覆層のうち下層配線と重なる領域に上段部が形成され、被覆層のうち下層配線から離間した領域に下段部が形成され、上段部及び下段部を接続するように斜面部が形成される。
【００１１】
また、本発明にかかる電気光学装置は、平面状に配置された複数の画素領域のそれぞれに設けられた電極をスイッチング制御するスイッチング素子を有し、前記配線及び前記下層配線が、それぞれ前記スイッチング素子に接続されていることとしてもよい。
この発明では、配線及び下層配線がそれぞれ電極を駆動するスイッチング素子に入力される信号電圧を伝達する信号線として機能する。
【００１２】
また、本発明にかかる電気光学装置は、前記段差部が、下段層と、該下段層上に形成されて端部を有する上段層とによって構成され、前記下段層上に、平面状に配置された複数の画素領域のそれぞれに信号電圧を供給する信号線に接続される接続配線が形成され、前記配線が、前記接続配線を被覆することとしてもよい。
この発明では、端部を有する上段層によって上段層の厚さに応じた段差部が形成される。そして、上段層の上面に上段部が形成され、下段層上に下段部が形成され、上段部及び下段部を接続するように斜面部が形成される。そして、下地層上に形成された接続配線を配線により被覆する。
【００１３】
また、本発明にかかる電子機器は、上述した電気光学装置を備えることを特徴とする。
この発明では、上述と同様に、配線を実際よりも平坦な面に形成できるので、配線の線幅異常や断線が発生することを抑制できる。
【発明を実施するための最良の形態】
【００１４】
以下、本発明における液晶表示装置の一実施形態を、図面に基づいて説明する。なお、以下の説明に用いる各図面では、各部材を認識可能な大きさとするために縮尺を適宜変更している。ここで、図１は本発明の液晶表示装置を示す斜視図、図２は図１の等価回路図、図３（ａ）はデータ線と走査線との交差部近傍を示す斜視図、図３（ｂ）は図３（ａ）の平面図、図４（ａ）は第２層間絶縁膜の端部近傍を示す斜視図、図４（ｂ）は図４（ａ）の平面図である。
【００１５】
〔液晶表示装置〕
本実施形態における液晶表示装置（電気光学装置）１は、ＴＦＴ（Thin Film Transistor：薄膜トランジスタ）を画素スイッチング素子として用いたアクティブマトリックス型の液晶表示装置である。ここで、表示を構成する最小単位となる表示領域を「画素領域」と称する。
液晶表示装置１は、図１に示すように、素子基板２と、素子基板２と対向配置された対向基板３と、素子基板２及び対向基板３の間に挟持された液晶層４と、素子基板２に設けられた半導体チップであるデータ線駆動回路５及び走査線駆動回路６とを備えている。また、液晶表示装置１は、素子基板２と対向基板３とが対向する対向領域の外周部に設けられた平面視でほぼ矩形の枠状のシール材（図示略）を備えており、このシール材によって素子基板２と対向基板３とを接着固定している。そして、液晶表示装置１のうちシール材の内側に、画像表示領域が形成されている。また、液晶表示装置１は、素子基板２と対向基板３との外面側（液晶層４と反対側）にそれぞれ設けられた偏光板（図示略）を備えている。そして、液晶表示装置１は、素子基板２の外側（液晶層４と反対側）から照明光が照射される構成となっている。
【００１６】
そして、液晶表示装置１は、図２に示すように、画像表示領域に複数の画素領域がマトリックス状に配置されている。この複数の画素領域には、それぞれ画素電極（電極）１１と、画素電極１１をスイッチング制御するためのＴＦＴ素子（スイッチング素子）１２とが形成されている。このＴＦＴ素子１２は、ソースがデータ線駆動回路５から延在するデータ線（配線、信号線）１３に接続され、ゲートが走査線駆動回路６から延在する走査線（下層配線）１４に接続され、ドレインが画素電極１１に接続されている。
【００１７】
データ線駆動回路５は、データ線１３を介して画像信号Ｓ１、Ｓ２、…、Ｓｎを各画素領域に供給する構成となっている。ここで、データ線駆動回路５は、画像信号Ｓ１〜Ｓｎをこの順で線順次で供給してもよく、互いに隣接する複数のデータ線１３同士に対してグループごとに供給してもよい。
走査線駆動回路６は、走査線１４を介して走査信号Ｇ１、Ｇ２、…、Ｇｍを各画素領域に供給する構成となっている。ここで、走査線駆動回路６は、走査信号Ｇ１〜Ｇｍを所定のタイミングでパルス的に線順次で供給する。
【００１８】
また、液晶表示装置１は、スイッチング素子であるＴＦＴ素子１２が走査信号Ｇ１〜Ｇｍの入力により一定期間だけオン状態とされることで、データ線１３から供給される画像信号Ｓ１〜Ｓｎが所定のタイミングで画素電極１１に書き込まれる構成となっている。そして、画素電極１１を介して液晶に書き込まれた所定レベルの画像信号Ｓ１〜Ｓｎは、画素電極１１と対向基板３に設けられた共通電極（図示略）との間で一定期間保持される。ここで、保持された画像信号Ｓ１〜Ｓｎがリークすることを防止するため、画素電極１１と共通電極との間に形成される液晶容量と並列接続されるように蓄積容量１５が付与されている。この蓄積容量１５は、ＴＦＴ素子１２のドレインと容量線１６との間に設けられている。
【００１９】
素子基板２は、図１に示すように、平面視でほぼ矩形状を有しており、例えばガラス、プラスチックなどの透光性材料を基体として構成されている。
そして、素子基板２のうち画像表示領域と重なる領域には、画素電極１１やＴＦＴ素子１２（図２に示す）、複数のデータ線１３、走査線１４及び容量線１６（図２に示す）などが設けられている。
【００２０】
画素電極１１は、複数の画素領域のそれぞれに配置されており、平面視でほぼ矩形状であって、例えばＩＴＯ（酸化インジウムスズ）などの透光性導電材料で構成されている。
走査線１４は、図３（ａ）、（ｂ）に示すように、平面視でほぼ画素領域の一辺方向（Ｘ軸方向）に沿って直線状に配置されている。そして、走査線１４は、ＴＦＴ素子１２の主体である半導体層（図示略）上に形成されたゲート絶縁膜（下地層）２１上に形成されており、第１層間絶縁膜（被覆層、下段層）２２によって被覆されている。
データ線１３は、平面視で画素領域の上記一辺と直交する他辺方向（Ｙ軸方向）に沿ってほぼ直線状に配置されている。そして、データ線１３は、走査線１４を被覆する第１層間絶縁膜２２上に形成されており、第２層間絶縁膜２３によって被覆されている。なお、画素電極１１はこの第２層間絶縁膜（上段層）２３上に形成されており、容量線１６は走査線１４と共にゲート絶縁膜２１上に形成されている。
【００２１】
ここで、走査線１４とデータ線１３とは、第１層間絶縁膜２２を介して平面視で交差している。そのため、走査線１４を被覆する第１層間絶縁膜２２のうち走査線１４と重なる領域には、走査線１４の厚さに応じた段差部２５が形成されている。この段差部２５により形成される段差は、例えば３０ｎｍ以上となっている。
この段差部２５は、第１層間絶縁膜２２のうち走査線１４と重なる領域に形成された突状であって、走査線１４と重なる領域に形成された上段部２５ａと、走査線１４から離間した領域に形成された下段部２５ｂ、２５ｃと、上段部２５ａ及び下段部２５ｂを接続する領域に形成された斜面部２５ｄと、上段部２５ａ及び下段部２５ｃを接続する斜面部２５ｅとを備えている。そして、下段部２５ｂと斜面部２５ｄとの境界部２６ａと、上段部２５ａと斜面部２５ｄとの境界部２６ｂと、下段部２５ｃと斜面部２５ｅとの境界部２６ｃと、上段部２５ａと斜面部２５ｅとの境界部２６ｄとは、走査線１４が直線状に配置されているため、それぞれ走査線１４と重なる部分においてほぼ直線状となっている。
【００２２】
データ線１３は、この段差部２５を乗り越えるようにして形成されている。そして、データ線１３は、ほぼ直線状に配線されているが、段差部２５を含むその近傍において屈曲している。すなわち、データ線１３は、段差部２５の下段部２５ｂのうち斜面部２５ｄの近傍において屈曲し、この状態で斜面部２５ｄに沿って上段部２５ａに至る。そして、データ線１３は、上段部２５ａにおいて再度屈曲し、この状態で斜面部２５ｅに沿って下段部２５ｃに至る。さらに、データ線１３は、下段部２５ｃのうち斜面部２５ｅの近傍においてもう一度屈曲している。
ここで、データ線１３は、その幅方向の両縁部及び幅方向の中心線Ｌ１が境界部２６ａ〜２６ｄと８０°以下で交差するように形成されている。
以上より、データ線１３により、第１層間絶縁膜２２に形成された段差部２５を乗り越えるように立体的な配線構造が形成される。
【００２３】
また、素子基板２のうち対向基板３と対向配置したときに対向基板から張り出す張出領域２Ａには、図１に示すように、引廻配線（接続配線）３１、３２と、外部接続配線３３とが形成されている。
引廻配線３１は、データ線１３とデータ線駆動回路５とを接続しており、データ線１３と一体的に形成されている。そして、引廻配線３１は、図４（ａ）、（ｂ）に示すように、第１層間絶縁膜２２上に形成されており、張出領域２Ａにおいて第２層間絶縁膜２３の端部から露出している。また、引廻配線３１のうち第２層間絶縁膜２３の端部から露出する部分は、保護膜である被覆配線（配線）３１ａによって覆われている。
【００２４】
ここで、被覆配線３１ａは、画素電極１１と同一材料であって画素電極１１と同一工程において形成されている。そのため、被覆配線３１ａは、一部が第２層間絶縁膜２３の端部に形成された段差部３５に沿うように形成されている。この段差部３５により形成される段差は、例えば１μｍ以上となっている。
この段差部３５は、第２層間絶縁膜２３の上面である上段部３５ａと、第１層間絶縁膜２２の上面である下段部３５ｂと、上段部３５ａ及び下段部３５ｂを接続する斜面部３５ｃとを備えている。そして、下段部３５ｂ及び斜面部３５ｃの境界部３６ａと、上段部３５ａ及び斜面部３５ｃの境界部３６ｂとは、ほぼ直線状となっている。
【００２５】
引廻配線３１は、段差部３５を含むその近傍において屈曲するように形成されている。すなわち、引廻配線３１は、段差部３５の下段部３５ｂのうち斜面部３５ｃの近傍において屈曲し、この状態で斜面部３５ｃと交差する。そして、引廻配線３１は、上段部３５ａと重なる領域において再度屈曲している。
ここで、引廻配線３１は、その幅方向の両縁部及び幅方向の中心線が境界部３６ａ、３６ｂと８０°以下の交差角度で交差するように形成されている。
【００２６】
また、被覆配線３１ａは、平面視で引廻配線３１と重なるため、引廻配線３１と同様に段差部３５を含むその近傍において屈曲するように形成されている。すなわち、被覆配線３１ａは、段差部３５の下段部３５ｂのうち斜面部３５ｃの近傍において屈曲し、この状態で斜面部３５ｃに沿って上段部３５ａに至る。そして、被覆配線３１ａは、上段部３５ａにおいて再度屈曲している。
ここで、被覆配線３１ａは、その幅方向の両縁部及び幅方向の中心線Ｌ２が境界部３６ａ、３６ｂと８０°以下の交差角度で交差するように形成されている。
以上より、被覆配線３１ａにより、第２層間絶縁膜２３に形成された段差部３５に沿うように立体的な配線構造が形成される。
【００２７】
引廻配線３２は、走査線１４と走査線駆動回路６とを接続しており、走査線１４と一体的に形成されている。そして、引廻配線３２は、ゲート絶縁膜２１上に形成されており、張出領域２Ａにおいて第１層間絶縁膜２２の端部から露出している。また、引廻配線３２のうち第１層間絶縁膜２２の端部から露出する部分は、引廻配線３１と同様に保護膜である被覆配線（図示略）によって覆われている。ここで、第１層間絶縁膜２２の端部は、第２層間絶縁膜２３の端部よりも素子基板２の面内における外側に形成されている。
【００２８】
外部接続配線３３は、データ線駆動回路５及び走査線駆動回路６と配線基板３４とを接続している。この配線基板３４は、ＦＰＣ（フレキシブルプリント基板）であり、容量素子やＩＣパッケージなどの電子部品（図示略）が接続されており、これら電子部品を介して画像表示領域における画像表示に関わる各種の信号がデータ線駆動回路５及び走査線駆動回路６に供給される。
【００２９】
一方、対向基板３は、素子基板２に設けられた画素電極１１と液晶層４を介して対向配置された共通電極を有している。
そして、液晶層４は、正の誘電率異方性を有する液晶を用いたＴＮ（Twisted Nematic）モードで動作する構成となっている。
【００３０】
〔液晶表示装置の製造方法〕
次に、以上のような構成の液晶表示装置１の製造方法について説明する。なお、本実施形態では、素子基板２の製造工程のうち上述した立体的な配線構造の形成工程に特徴があるため、この点について説明する。
まず、従来と同様の手法により、透光性材料で構成された基体の上面に下地保護膜を形成し、この下地保護膜上に半導体層を形成する。そして、半導体層を被覆するゲート絶縁膜２１を形成し、このゲート絶縁膜２１上に走査線１４、容量線１６及び引廻配線３２を形成する。さらに、走査線１４、容量線１６及び引廻配線３２を被覆する第１層間絶縁膜２２を形成する。ここで、第１層間絶縁膜２２には、走査線１４、容量線１６及び引廻配線３２の厚さに応じた段差が形成される。すなわち、走査線１４と重なる領域において段差部２５が形成される。
【００３１】
次に、第１層間絶縁膜２２上に、データ線１３及び引廻配線３１を形成する。ここでは、上述した走査線１４などの他の配線と同様に、第１層間絶縁膜２２上にデータ線１３及び引廻配線３１を構成する導電材料で構成された導電膜（図示略）を形成した後、フォトリソグラフィ技術を用いて所定の開口を有するレジスト層（図示略）を形成する。そして、ウェットエッチング処理により導電膜のうちレジスト層の開口領域を除去することでデータ線１３及び引廻配線３１が形成される。
【００３２】
ここで、レジスト層は、導電膜のうちデータ線１３及び引廻配線３１の形成予定領域上に形成されている。そして、レジスト層は、その幅方向の両縁部及び幅方向の中心線がそれぞれ境界部２６ａ〜２６ｄと８０°以下の交差角度で交差している。
したがって、レジスト層の幅方向の縁部のうち斜面部２５ｄを横断する領域の長さが、境界部２６ａ〜２６ｄと垂直に交差する場合と比較して長くなる。そのため、境界部２６ａ〜２６ｄにおいて、レジスト層が実際の段差部２５の段差よりも平坦な段差面に形成されることとなる。これにより、レジスト層と導電膜との間に空隙が発生することを防止して、レジスト層と導電膜との密着強度が向上する。そして、ウェットエッチング処理において、レジスト層と導電膜との間にエッチャントが染み込むことを抑制し、レジスト層下の導電膜がエッチングされることを防止する。したがって、データ線１３が段差部２５において線幅異常が発生することを防止して、断線の発生が抑制される。
【００３３】
この工程により、データ線１３は、段差部２５の境界部２６ａ〜２６ｄに対してその線幅方向の両縁部及び幅方向の中心線が共に境界部２６ａ〜２６ｄとそれぞれ８０°以下で交差するように形成される。
また、引廻配線３１を、後述する工程において形成される段差部３５の境界部３６ａ、３６ｂに対してその線幅方向の両縁部及び幅方向の中心線が共に境界部３６ａ、３６ｂとそれぞれ８０°以下の交差角度で交差するように形成する。
【００３４】
次に、データ線１３及び引廻配線３１上に第２層間絶縁膜２３を形成する。ここで、第２層間絶縁膜２３の端部には、第２層間絶縁膜２３の膜厚に応じた段差が形成される。すなわち、第２層間絶縁膜２３の端部において段差部３５が形成される。
続いて、第２層間絶縁膜２３上に、画素電極１１及び被覆配線３１ａを形成する。ここでは、上述したデータ線１３及び引廻配線３１と同様にフォトリソグラフィ技術やウェットエッチング処理を施すことにより、画素電極１１及び被覆配線３１ａを形成する。ここで、引廻配線３１が段差部３５の境界部３６ａ、３６ｂに対してその線幅方向の両縁部が境界部３６ａ、３６ｂとそれぞれ８０°以下の非垂直で交差するように形成されているため、引廻配線３１を被覆する被覆配線３１ａも段差部３５の境界部３６ａ、３６ｂに対してその線幅方向の両縁部が境界部３６ａ、３６ｂとそれぞれ８０°以下の交差角度で交差するように形成される。このとき、上述と同様に、被覆配線３１ａが段差部３５において線幅異常が発生することを防止して、断線の発生が抑制される。
【００３５】
その後、従来と同様の手法により、第２層間絶縁膜２３上に配向膜を形成することで、素子基板２を形成する。そして、別途形成された対向基板３とシール材を介して貼り合わせることにより、液晶表示装置１を製造する。
【００３６】
ここで、段差部上に形成される配線の両縁部と境界部とのなす角度と、実効的な段差部の傾斜角との関係を、図５に示す。図５には、斜面部の傾斜角を８０°、６０°、４０°としたときのそれぞれについて示している。
図５に示すように、配線の両縁部と境界部とのなす角を小さくするにしたがって、配線の幅方向の縁部のうち斜面部を横断する領域が長くなる。このため、実効的に配線を本来よりも平坦な斜面に形成することができる。
【００３７】
〔電子機器〕
以上のような構成の液晶表示装置１は、例えば図６に示すような携帯電話機（電子機器）１００の表示部１０１として用いられる。この携帯電話機１００は、表示部１０１、複数の操作ボタン１０２、受話口１０３、送話口１０４及び上記表示部１０１を有する本体部１０５を備えている。
【００３８】
以上のように、本実施形態における液晶表示装置１及び携帯電話機１００によれば、段差部２５、３５の実効的な段差が低減されて実効的により平坦な面にデータ線１３や被覆配線３１ａを形成できる。これにより、データ線１３や被覆配線３１ａの線幅が狭くなって段差部２５、３５におけるデータ線１３や被覆配線３１ａの抵抗が上昇することを抑制できると共に、断線の発生を抑制できる。
ここで、データ線１３や被覆配線３１ａの幅方向の両縁部及び中心線Ｌ１、Ｌ２を境界部２６ａ〜２６ｄや境界部３６ａ、３６ｂと８０°以下の交差角度で交差させているので、データ線１３や被覆配線３１ａに断線が発生することをより確実に防止できる。
【００３９】
なお、本発明は上記実施形態に限定されるものではなく、本発明の趣旨を逸脱しない範囲において種々の変更を加えることが可能である。
例えば、上記実施形態では、データ線が段差部を含むその近傍において幅が一定となるように形成されているが、幅方向の両縁部が境界部に対して非垂直となるように交差していればよい。例えば、図７（ａ）に示すように、境界部２５を含むその近傍において、データ線１３の線幅を下段部２５ｂから上段部２５ａに向かうにしたがって漸次狭くすると共に、上段部２５ａから下段部２５ｃに向かうにしたがって漸次広くすることにより、データ線１３の幅方向の両縁部を境界部２６ａ〜２６ｄに対して非垂直で交差することとしてもよい。また、図７（ｂ）に示すように、境界部２５を含むその近傍において、データ線１３の線幅を下段部２５ｂから上段部２５ａに向かうにしたがって漸次広くすると共に、上段部２５ａから下段部２５ｃに向かうにしたがって漸次狭くしてもよい。ここで、このような構成を第２層間絶縁膜の端部において適用してもよい。
【００４０】
また、データ線や被覆配線の縁部と境界部との交差角度を８０°以下としているが、段差部における断線を抑制でき、境界部と非垂直で交差していれば、他の角度であってもよい。
また、走査線とデータ線との立体的な交差部分や第２層間絶縁膜の端部に形成された段差部における配線構造について本発明を適用しているが、他の段差部において本発明における立体的な配線構造を適用してもよい。
【００４１】
また、液晶表示装置は、画素電極をスイッチング制御する駆動素子としてＴＦＴ素子を用いているが、ＴＦＴ素子に限らず、ＴＦＤ（Thin Film Diode：薄膜ダイオード）素子など、他の駆動素子を用いてもよい。
そして、液晶表示装置は、素子基板に画素電極を設けると共に対向基板に共通電極を設けた電極構造を有しているが、素子基板に画素電極及び共通電極を形成して液晶層に対して基板面方向の電界を発生させるＩＰＳ（In-Plane Switching）方式やＦＦＳ（Fringe-Field Switching）方式などの、いわゆる横電界方式を用いた電極構造を採用してもよい。
さらに、液晶層として、ＴＮモードで動作する液晶を用いているが、ＴＮモードに限らず、負の誘電率異方性を有するＶＡＮ（Vertical Aligned Nematic）モードやＥＣＢ（Electrically Controlled Birefringence）モード、ＯＣＢ（Optical Compensated Bend）モードなど、他の液晶を用いてもよい。
【００４２】
また、液晶表示装置を備える電子機器としては、携帯電話機に限らず、ＰＤＡ（Personal Digital Assistant：携帯情報端末機）やパーソナルコンピュータ、ノート型パーソナルコンピュータ、ワークステーション、デジタルスチルカメラ、車載用モニタ、カーナビゲーション装置、ヘッドアップディスプレイ、デジタルビデオカメラ、テレビジョン受像機、ビューファインダ型あるいはモニタ直視型のビデオテープレコーダ、ページャ、電子手帳、電卓、電子ブックやプロジェクタ、ワードプロセッサ、テレビ電話機、ＰＯＳ端末、タッチパネルを備える機器、照明装置などのような他の電子機器であってもよい。
そして、電気光学装置としては、液晶層のように一対の電極間に電界を発生させることによって光学特性が変化する電気光学層を備えるものであれば、液晶表示装置に限らず、有機ＥＬ（エレクトロルミネッセンス）装置など他の装置であってもよい。
【図面の簡単な説明】
【００４３】
【図１】一実施形態における液晶表示装置を示す斜視図である。
【図２】液晶表示装置を示す等価回路図である。
【図３】立体的な配線構造を示し、（ａ）は斜視図、（ｂ）は平面図である。
【図４】同じく立体的な配線構造を示し、（ａ）は斜視図、（ｂ）は平面図である。
【図５】配線の境界部との交差角と実効的な傾斜角との関係を示すグラフである。
【図６】液晶表示装置を備える携帯電話機を示す外観図である。
【図７】本発明を適用可能な他の立体的な配線構造を示す平面図である。
【符号の説明】
【００４４】
１  液晶表示装置（電気光学装置）、１１  画素電極（電極）、１２  ＴＦＴ素子（スイッチング素子）、１３  データ線（配線，信号線）、１４  走査線（下層配線）、２１  ゲート絶縁膜（下地層）、２２  第１層間絶縁膜（被覆層，下段層）、２３  第２層間絶縁膜（上段層）、２５，３５  段差部、２５ａ，３５ａ  上段部、２５ｂ，２５ｃ，３５ｂ  下段部、２５ｄ，２５ｅ，３５ｃ  斜面部、２６ａ〜２６ｄ，３６ａ，３６ｂ  境界部、３１  引廻配線（接続配線）、３１ａ  被覆配線（配線）、１００  携帯電話機（電子機器）
【図１】
2008130967.tif 000003
【図２】
2008130967.tif 000004
【図３】
2008130967.tif 000005
【図４】
2008130967.tif 000006
【図５】
2008130967.tif 000007
【図６】
2008130967.tif 000008
【図７】
2008130967.tif 000009